(57)【要約】【課題】データパケットを伝送するデータ伝送制御システム及びデータ伝送制御方法に関し、異常発生個所を検出してデータパケットを迂回転送する。【解決手段】複数の端末パッケージ１〜４を順次直列的に伝送路３１−０，３１−１により接続してアクティブ通信ルートとし、両端の端末パッケージ１，４にそれぞれ送信制御パッケージ１１，１４を接続し、送信制御パッケージ間を伝送路３２−０，３２−１により接続して非アクティブ通信ルートとし、送信制御パッケージ間の共通監視パケットと、端末パッケージ対応の独自監視パケットとをアクティブ通信ルートに伝送して正常か否か及び異常発生個所を識別し、その情報を付加した連絡監視パケットを、非アクティブ通信ルートを介して伝送し、端末パッケージ間のデータパケットを、異常発生個所を迂回するように送信制御パッケージにより非アクティブ通信ルートを介して転送する手段を備えている。【選択図】図１
2010103788.tif 000002
【特許請求の範囲】
【請求項１】
複数の端末パッケージを順次直列的に二重化構成の伝送路により接続し、両端に位置する端末パッケージにそれぞれ送信制御パッケージを接続し、該送信制御パッケージと前記端末パッケージとを接続した二重化構成の伝送路をアクティブ通信ルートとし、前記送信制御パッケージ間を直接的に接続した二重化構成の伝送路を非アクティブ通信ルートとし、正常時は、前記アクティブ通信ルートを介して前記端末パッケージ間のデータパケット伝送を行うパケット伝送制御システムに於いて、
前記送信制御パッケージは、前記複数の端末パッケージを順次転送する共通監視パケットを送受信する手段と、前記端末パッケージから送出する独自監視パケットを受信する手段と、前記共通監視パケットと前記独自監視パケットとの受信状態を対向送信制御パッケージに対して前記非アクティブ通信ルートを介して連絡監視パケットにより通知する手段と、前記連絡監視パケット受信により前記アクティブ通信ルートが正常か否かを識別し、異常発生識別により、該異常発生個所を転送予定のデータパケットのみを、前記非アクティブ通信ルートを介して対向送信制御パッケージに転送する手段とを備えた
ことを特徴とするパケット伝送制御システム。
【請求項２】
前記送信制御パッケージは、送信元アドレスを自送信制御パッケージのアドレスとし、送信先アドレスを対向送信制御パッケージのアドレスとし、ライフ値を前記複数の端末パッケージの個数に１を加算した値とした共通監視パケットを所定の周期で送信する手段と、前記複数の端末パッケージを介して転送された前記共通監視パケットの受信の有無及び前記ライフ値が正常か否かを判定した結果と、前記端末パッケージからそれぞれ送信元アドレスを自端末パッケージのアドレスとし、送信先アドレスを前記送信制御パッケージのアドレスとし、ライフ値を前記共通監視パケットと異なる最大値とした独自監視パケットの受信の有無及び前記ライフ値が正常か否かを判定した結果との情報をデータ部に設定した連絡監視パケットを、前記非アクティブ通信ルートにより対向送信制御パッケージに送信する手段とを備えたことを特徴とする請求項１記載のパケット伝送制御システム。
【請求項３】
前記端末パッケージは、前記アクティブ通信ルートによるデータパケットの送受信手段と、前記共通監視パケットのライフ値及び他の端末パッケージからの前記独自監視パケットのライフ値を１減算して転送する手段と、送信元アドレスを自端末パッケージのアドレスとし、送信先アドレスを前記送信制御パッケージのアドレスとし、ライフ値を最大値とした独自監視パケットを所定の周期で生成して送信する手段とを備えたことを特徴とする請求項１又は２記載のパケット伝送制御システム。
【請求項４】
一方と他方との前記送信制御パッケージ間に、複数のアクティブ通信ルートを設けてそれぞれのアクティブ通信ルートに複数の端末パッケージを接続し、前記複数のアクティブ通信ルートに対して共通の非アクティブ通信ルートを前記送信制御パッケージ間に設けた構成を備えたことを特徴とする請求項１又は２又は３記載のパケット伝送制御システム。
【請求項５】
複数の端末パッケージを順次直列的に二重化構成の伝送路により接続し、両端に位置する端末パッケージにそれぞれ送信制御パッケージを接続し、該送信制御パッケージと前記端末パッケージとを接続した前記二重化構成の伝送路をアクティブ通信ルートとし、前記送信制御パッケージ間を直接的に接続した二重化構成の伝送路を非アクティブ通信ルートとし、正常時は、前記アクティブ通信ルートを介して前記端末パッケージ間でデータパケットを伝送するパケット伝送制御方法に於いて、
前記送信制御パッケージは、送信元アドレスを自送信制御パッケージのアドレス、送信先アドレスを対向送信制御パッケージのアドレス、ライフ値を前記端末パッケージの接続数に１を加算した値を含む共通監視パケットを所定の周期で送信する課程と、
前記端末パッケージは、送信元アドレスを自端末パッケージのアドレス、送信先アドレスを前記送信制御パッケージのアドレス、ライフ値を所定の最大値とした独自監視パケットを所定の周期で送信し、前記共通監視パケット及び前記独自監視パケットを受信転送する時に、それぞれのライフ値を１減算して送信する過程と、
前記送信制御パッケージは、前記共通監視パケット及び前記独自監視パケットの受信の有無及びライフ値が正常か否かを識別した結果の情報を連絡監視パケットのデータ部に付加して、前記非アクティブ通信ルートを介して対向送信制御パッケージに送信し、該連絡監視パケットを受信して前記アクティブ通信ルートの異常発生の有無を識別し、異常発生時は、該異常発生個所を通過予定のデータパケットを、前記非アクティブ通信ルートを介して転送する過程と
を含むことを特徴とするパケット伝送制御方法。
【請求項６】
一方と他方との前記送信制御パッケージ間に、複数のアクティブ通信ルートを設けてそれぞれのアクティブ通信ルートに複数の端末パッケージを接続し、前記複数のアクティブ通信ルートに対して共通の非アクティブ通信ルートを前記送信制御パッケージ間に設け、前記複数のアクティブ通信ルートに前記送信制御パッケージから前記共通監視パケットを所定の周期でそれぞれ送信し、且つ前記端末パッケージから前記独自監視パケットを所定の周期でそれぞれ送信し、前記送信制御パッケージは、前記複数のアクティブ通信ルートを介してそれぞれ転送された前記共通監視パケットと前記独自監視パケットとの受信状態の情報を含む前記連絡監視パケットを、前記非アクティブ通信ルートを介して転送する過程を含むことを特徴とする請求項５記載のパケット伝送制御方法。
【発明の詳細な説明】
【技術分野】
【０００１】
本発明は、一方と他方との送信制御パッケージの間に、複数の端末パッケージを二重化構成の伝送路により順次直列的に接続してアクティブ通信ルートとし、前記一方と他方との送信制御パッケージ間を直接的に二重化構成の伝送路により接続して非アクティブ通信ルートとして、前記アクティブ通信ルートの異常発生時に前記非アクティブ通信ルートを介してデータパケットを迂回伝送するパケット伝送制御システム及びパケット伝送制御方法に関する。
【背景技術】
【０００２】
或る地点と他の地点との間を結ぶ長距離の高速道路や、上流から下流に向かって流れる河川等に沿って複数の伝送装置を配置し、各伝送装置を伝送路により順次直列的に接続して、管理情報や観測情報等の伝送を行う伝送システムが知られている。又伝送装置に単一又は複数の各種の端末を接続し、端末相互間では伝送装置を介してデータを伝送する伝送システムが一般的である。又伝送路障害発生時でもデータ伝送を継続可能とする為に、伝送路を現用系と予備系との二重化構成とし、現用系の障害発生検出により予備系に切替えてデータ伝送を継続可能とした伝送システムも知られている。又複数の伝送装置を順次直列的に伝送路により接続し、それらの両端に位置する一方の伝送装置と他方の伝送装置との間を、予備的な伝送路により接続し、この予備的な伝送路を迂回経路とする伝送システムも知られている。
【０００３】
例えば、図６に示すように、伝送装置１０１〜１０４を、０系と１系とからなる二重化構成の伝送路１３１により順次直列的に接続し、この０系と１系との伝送路１３１をデータ伝送に使用するアクティブ通信ルートとし、両端に位置する一方の伝送装置１０１と他方の伝送装置１０４との間を０系と１系とからなる二重化構成の伝送路１３２により接続し、正常時は、この伝送路１３２をデータの伝送には使用しない非アクティブ通信ルートとし、アクティブ通信ルートの障害発生時に、非アクティブ通信ルートにより迂回伝送するパケット伝送システムが考えられている。なお、１２１〜１２４は端末、１１１〜１１４は端末と伝送路１３１との間でパケット伝送処理を行う端末パッケージ、１１０，１１５は送信制御パッケージであり、端末パッケージ１１１，１１４に接続され、且つ非アクティブ通信ルートとしての伝送路１３２を介して相互間でパケット伝送可能に接続されている。この送信制御パッケージ１１０，１１５は、監視パケットによりアクティブ通信ルートの正常性を監視し、障害発生を検出すると、非アクティブ通信ルートを介してパケット伝送を継続させる機能を有するものである。
【０００４】
又端末パッケージ１１１〜１１４は、パケットの送信先に対応して、伝送路１３１の０系、１系を選択して送信するか、又はパケットのヘッダ部には送信先アドレスが付加されているから、０系と１系との両方に送信することもできる。又送信制御パッケージ１１０，１１５及び端末パッケージ１１１〜１１４は、０系、１系の伝送路１３１を介して伝送されたパケットの送信先アドレスが、自端末パッケージのアドレスを示す時にそのパケットを受信処理し、他の端末パッケージのアドレスを示す時は、転送する構成を有するものであり、又送信制御パッケージ１１０，１１５は、アクティブ通信ルートとしての伝送路１３１の正常性を監視する為に、監視パケットを所定の周期で送受信する。例えば、監視パケットのヘッダ部に、送信先アドレスとして対向側の送信制御パッケージのアドレス、送信元アドレスとして自送信制御パッケージのアドレス、送信制御パッケージ１１０，１１５間に接続されている端末パッケージの総数Ｎに１を加算した値のライフ値を含む内容とし、データ部は、対向した相手側からの監視パケットを正常受信したか否かを示す為に、正常受信の場合は、例えば、“０”、受信できない場合は、“１”とし、又受信したライフ値が正常の場合は、例えば、“０”、異常の場合は、“１”とした状態情報を含む構成とする。なお、監視パケットを示す識別子をヘッダ部に付加し、一般のデータ伝送用のパケットと区別できるようにし、又ライフ値は、端末パッケージ１１１〜１１４に於いて監視パケットを識別すると、１減算して転送することにより、終端側の送信制御パッケージでは、伝送路及び各端末パッケージが正常の場合、監視パケットのライフ値は１となった状態で受信できることになる。
【０００５】
従って、送信制御パッケージ１１０，１１５に於いては、対向側の送信制御パッケージからの監視パケットを受信し、且つライフ値＝１であって、更に、対向側の送信制御パッケージに於ける監視パケットの正常受信且つライフ値正常を示す場合、アクティブ通信ルートは正常と判断し、何れか一つでも異常を示す場合は、アクティブ通信ルートの障害と判断し、非アクティブ通信ルートの伝送路１３２を介して送信制御パッケージ１１０，１１５間でパケットを迂回伝送する制御を行う。その場合に於いても、アクティブ通信ルートを監視する為の監視パケットの送信を所定周期で行い、障害が復旧して監視パケットの受信が可能となり、ライフ値も正常復帰の場合、非アクティブ通信ルートの伝送路１３２を介したパケット伝送を停止し、アクティブ通信ルートの伝送路１３１によるパケット伝送に復帰することができる。
【０００６】
又複数の多重化装置を専用線により順次接続した伝送システムに於いて、専用線及び多重化装置に於ける障害発生の場合、その障害発生個所を、公衆回線のＩＳＤＮ回線を利用して迂回接続し、この迂回経路を構成するＩＳＤＮ回線を介してデータ伝送を継続する手段が提案されている（例えば、特許文献１参照）。又０系と１系との二重化高速伝送路により複数の伝送装置をリング状に接続して伝送システムを構成し、０系と１系との高速伝送路が同時的に障害となる二重障害発生時には、予め設定した伝送装置間を低速ネットワークにより接続した迂回経路を経由してデータ伝送を継続可能とした伝送システムも提案されている（例えば、特許文献２参照）。
【特許文献１】特開２０００−２２７０４号公報
【特許文献２】特開２００３−２８３５１９号公報
【発明の開示】
【発明が解決しようとする課題】
【０００７】
各種のパケットを伝送するシステムに於いて、信頼性を向上する為に、伝送路を０系と１系との二重化構成とする場合が一般的であり、又前述の特許文献１に示されているように、主伝送路としての専用線の障害発生時に於いてもデータの伝送を継続する為に、ＩＳＤＮ回線を予備伝送路として、障害発生個所を迂回接続する手段に於いては、専用線によるデータ伝送速度を確保できる保証がないことから、信頼性に欠ける問題がある。又前述の特許文献２に示されているように、０系と１系との伝送路によりデータを伝送するシステムに於ける０系と１系との両方の伝送路の障害発生時に、低速ネットワークを迂回経路として接続する手段に於いても、低速ネットワークによるデータ伝送速度の低下により充分な信頼性の確保ができない問題がある。
【０００８】
又前述の従来例の図６に示すパケット伝送システムに於けるアクティブ通信ルートと非アクティブ通信ルートとは同一の伝送帯域を確保可能とし、アクティブ通信ルートの障害発生時に、そのアクティブ通信ルートを介して伝送していたデータを、総て非アクティブ通信ルートを介して伝送する構成とすることにより、データ伝送速度を維持することが可能となる。しかし、複数の端末パッケージ１１１〜１１４の両端に位置する伝送装置の送信制御パッケージに於いて、障害発生個所の特定が容易でなく、従って、両端位置の端末パッケージ１１１，１１４の自パッケージ宛以外の受信パケットを総て非アクティブ通信ルートに転送することになる。従って、非アクティブ通信ルートの有効利用を図る上で問題があり、又非アクティブ通信ルートの正常性は保証されていない。又アクティブ通信ルートが複数存在する場合、障害救済の為の非アクティブ通信ルートも複数設ける必要があるから、このような伝送システムは、コスト増大の問題が生じる。
【０００９】
本発明は、前述の従来の問題点を解決することを目的とし、アクティブ通信ルートの障害発生検出を容易とする共に、その障害発生個所を通過予定のデータパケットのみを非アクティブ通信ルートにより伝送すると共に、非アクティブ通信ルートの正常性を保証可能とするものである。
【課題を解決するための手段】
【００１０】
本発明のパケット伝送制御システムは、複数の端末パッケージを順次直列的に二重化構成の伝送路により接続し、両端に位置する端末パッケージにそれぞれ送信制御パッケージを接続し、この送信制御パッケージと端末パッケージとを接続した二重化構成の伝送路をアクティブ通信ルートとし、前記送信制御パッケージ間を直接的に接続した二重化構成の伝送路を非アクティブ通信ルートとし、正常時は、アクティブ通信ルートを介して端末パッケージ間のデータパケット伝送を行うパケット伝送制御システムであって、送信制御パッケージは、複数の端末パッケージを順次転送する共通監視パケットを送受信する手段と、端末パッケージから送出する独自監視パケットを受信する手段と、共通監視パケットと独自監視パケットとの受信状態を対向送信制御パッケージに対して、非アクティブ通信ルートを介して連絡監視パケットにより通知する手段と、連絡監視パケット受信により、アクティブ通信ルートが正常か否かを識別し、異常発生識別により、その異常発生個所を転送予定のデータパケットのみを、非アクティブ通信ルートを介して対向送信制御パッケージに転送する手段とを備えている。
【００１１】
又前記送信制御パッケージは、送信元アドレスを自送信制御パッケージのアドレスとし、送信先アドレスを対向送信制御パッケージのアドレスとし、ライフ値を前記複数の端末パッケージの個数に１を加算した値とした共通監視パケットを所定の周期で送信する手段と、複数の端末パッケージを介して転送された共通監視パケットの受信の有無及びライフ値が正常か否かを判定した結果と、端末パッケージからそれぞれ送信元アドレスを自端末パッケージのアドレスとし、送信先アドレスを送信制御パッケージのアドレスとし、ライフ値を共通監視パケットと異なる最大値とした独自監視パケットの受信の有無及びライフ値が正常か否かを判定した結果との情報をデータ部に設定した連絡監視パケットを、非アクティブ通信ルートにより対向送信制御パッケージに送信する手段とを備えている。
【００１２】
又前記端末パッケージは、アクティブ通信ルートによるデータパケットの送受信手段と、共通監視パケットのライフ値及び他の端末パッケージからの独自監視パケットのライフ値を１減算して転送する手段と、送信元アドレスを自端末パッケージのアドレスとし、送信先アドレスを送信制御パッケージのアドレスとし、ライフ値を最大値とした独自監視パケットを所定の周期で生成して送信する手段とを備えている。
【００１３】
又一方と他方との送信制御パッケージ間に、複数のアクティブ通信ルートを設けて、それぞれのアクティブ通信ルートに複数の端末パッケージを接続し、複数のアクティブ通信ルートに対して共通の非アクティブ通信ルートを送信制御パッケージ間に設けた構成を備えている。
【００１４】
本発明のパケット伝送制御方法は、複数の端末パッケージを順次直列的に二重化構成の伝送路により接続し、両端に位置する端末パッケージにそれぞれ送信制御パッケージを接続し、その送信制御パッケージと端末パッケージとを接続した二重化構成の伝送路をアクティブ通信ルートとし、送信制御パッケージ間を直接的に接続した二重化構成の伝送路を非アクティブ通信ルートとし、正常時は、アクティブ通信ルートを介して端末パッケージ間でデータパケットを伝送するパケット伝送制御方法であって、送信制御パッケージは、送信元アドレスを自送信制御パッケージのアドレス、送信先アドレスを対向送信制御パッケージのアドレス、ライフ値を端末パッケージの接続数に１を加算した値を含む共通監視パケットを所定の周期で送信する課程と、端末パッケージは、送信元アドレスを自端末パッケージのアドレス、送信先アドレスを送信制御パッケージのアドレス、ライフ値を所定の最大値とした独自監視パケットを所定の周期で送信し、共通監視パケット及び独自監視パケットを受信転送する時に、それぞれのライフ値を１減算して送信する過程と、送信制御パッケージは、共通監視パケット及び独自監視パケットの受信の有無及びライフ値が正常か否かを識別した結果の情報を連絡監視パケットのデータ部に付加して、非アクティブ通信ルートを介して対向送信制御パッケージに送信し、この連絡監視パケットを受信してアクティブ通信ルートの異常発生の有無を識別し、異常発生時は、その異常発生個所を通過予定のデータパケットを、非アクティブ通信ルートを介して転送する過程とを含むものである。
【００１５】
又一方と他方との送信制御パッケージ間に、複数のアクティブ通信ルートを設けてそれぞれのアクティブ通信ルートに複数の端末パッケージを接続し、複数のアクティブ通信ルートに対して共通の非アクティブ通信ルートを送信制御パッケージ間に設け、複数のアクティブ通信ルートに送信制御パッケージから前記共通監視パケットを所定の周期でそれぞれ送信し、且つ端末パッケージから独自監視パケットを所定の周期でそれぞれ送信し、送信制御パッケージは、複数のアクティブ通信ルートを介してそれぞれ転送された共通監視パケットと独自監視パケットとの受信状態の情報を含む連絡監視パケットを、非アクティブ通信ルートを介して転送する過程を含むものである。
【発明の効果】
【００１６】
一方と他方との送信制御パッケージ間に、複数の端末パッケージを順次直列的に伝送路により接続して端末パッケージ間でデータパケットの送受信を行うパケット伝送制御システム及びパケット伝送制御方法に於いて、送信制御パッケージ間の共通監視パケットと、端末パッケージから送出する独自監視パケットとにより、アクティブ通信ルートが正常か否か及び異常発生時は、異常発生個所を識別可能とし、送信制御パッケージ間の非アクティブ通信ルートを介した連絡監視パケットにより、アクティブ通信ルートが正常か否かと、異常発生時の異常発生個所とを示す情報を相互間で通知し、異常発生個所を通過予定のデータパケットのみを非アクティブ通信ルートにより迂回転送し、且つ連絡監視パケットの送受信により、非アクティブ通信ルートの正常性を監視することができる。
【発明を実施するための最良の形態】
【００１７】
本発明のパケット伝送制御システムは、図１を参照して説明すると、複数の端末パッケージ１〜４を順次直列的に二重化構成の伝送路３１−０，３１−１により接続し、両端に位置する端末パッケージ１，４にそれぞれ送信制御パッケージ１１，１４を接続し、この送信制御パッケージ１１，１４と端末パッケージ１〜４とを接続した二重化構成の伝送路３１−０，３１−１をアクティブ通信ルートとし、送信制御パッケージ１１，１２間を直接的に接続した二重化構成の伝送路３２−０，３２−１を非アクティブ通信ルートとし、正常時は、アクティブ通信ルートを介して端末パッケージ１〜４間のデータパケット伝送を行うパケット伝送制御システムであって、送信制御パッケージ１１，１２は、複数の端末パッケージ１〜４を順次転送し、ライフ値を含む共通監視パケットを送受信する手段と、端末パッケージ１〜４から送出する独自監視パケットを受信する手段と、共通監視パケットと独自監視パケットとのそれぞれのライフ値が正常か否かを含む受信状態を対向送信制御パッケージに対して、非アクティブ通信ルートを介して連絡監視パケットにより通知する手段と、連絡監視パケット受信により、アクティブ通信ルートが正常か否かを識別し、異常発生識別により、その異常発生個所を転送予定のデータパケットのみを、非アクティブ通信ルートを介して対向送信制御パッケージに転送する手段とを備えている。
【００１８】
本発明のパケット伝送制御方法は、複数の端末パッケージ１〜４を順次直列的に二重化構成の伝送路３１−０，３１−１により接続し、両端に位置する端末パッケージ１，４にそれぞれ送信制御パッケージ１１，１２を接続し、その送信制御パッケージ１１，１２と端末パッケージ１〜４とを接続した二重化構成の伝送路３１−０，３１−１をアクティブ通信ルートとし、送信制御パッケージ１１，１２間を直接的に接続した二重化構成の伝送路３２−０，３２−１を非アクティブ通信ルートとし、正常時は、アクティブ通信ルートを介して端末パッケージ１〜４間でデータパケットを伝送するパケット伝送制御方法であって、送信制御パッケージ１１，１２は、送信元アドレスを自送信制御パッケージのアドレス、送信先アドレスを対向送信制御パッケージのアドレス、ライフ値を端末パッケージ１〜４の接続数に１を加算した値を含む共通監視パケットを所定の周期で送信する課程と、端末パッケージ１〜４は、送信元アドレスを自端末パッケージのアドレス、送信先アドレスを送信制御パッケージのアドレス、ライフ値を所定の最大値とした独自監視パケットを所定の周期で送信し、共通監視パケット及び独自監視パケットを受信転送する時に、それぞれのライフ値を１減算して送信する過程と、送信制御パッケージ１１，１２は、共通監視パケット及び独自監視パケットの受信の有無及びライフ値が正常か否かを識別した結果の情報を連絡監視パケットのデータ部に付加して、非アクティブ通信ルートを介して対向送信制御パッケージに送信し、この連絡監視パケットを受信してアクティブ通信ルートの異常発生の有無を識別し、異常発生時は、その異常発生個所を通過予定のデータパケットを、非アクティブ通信ルートを介して転送する過程とを含むものである。
【実施例１】
【００１９】
図１は、本発明の実施例１の要部システム構成説明図であり、１〜４は端末パッケージ、１ａ〜４ａは送受信制御部、１１，１２は送信制御パッケージ、２１〜２４は端末、３１−０，３１−１は０系と１系とのアクティブ通信ルートを構成する二重化構成の伝送路，３２−０，３２−１は０系と１系との非アクティブ通信ルートを構成する二重化構成の伝送路、４１は０系送信部、４２は１系送信部、４３は０系受信部、４４は１系受信部、４５，４６は記録部、４７は制御部、４８，４９は送信制御部、５０は監視パケット生成部、５１は送信制御テーブルを示す。なお、０系と１系との伝送路３２−０，３２−１を介して対向接続されている一方と他方との送信制御パッケージ１１、１２は、同一の内部構成を有するものであるが、一方の送信制御パッケージ１１についてのみの主要部を図示している。
【００２０】
又送信制御パッケージ１１，１２間に接続された複数の端末パッケージ１〜４は、送受信制御部１ａ〜４ａを有し、アクティブ通信ルートを構成する０系と１系との伝送路３１−０，３１−１により伝送するデータパケットの送受信制御手段と、共通監視パケットの送受信転送制御手段と、独自監視パケットの生成送出及び転送手段と、端末との間のデータの送受信制御手段とを含む構成を有し、データパケットについては、０系と１系との両系の伝送路に対して送受信可能の構成を有する。なお、共通監視パケットは、送信制御パッケージ１１，１２に於いて所定の周期で生成してアクティブ通信ルートにより転送する監視パケットであり、独自監視パケットは、各端末パッケージ１〜４がそれぞれ独自に所定の周期で生成して転送する監視パケットを示す。又各端末パッケージ１〜４は、順次直列的に伝送路により接続する伝送装置としての主要部を構成するものであり、図示の実施例に於いては、送信制御パッケージ１１，１２間のアクティブ通信ルートにより直列的に４個接続した場合を示すが、４個より少なく又は多くすることも可能である。又送信制御パッケージ１１，１２を、それぞれ伝送装置の主要部とするか、又は隣接した端末パッケージ１，４を含めて伝送装置を構成することも可能である。又端末２１〜２４は、端末パッケージ１〜４対応にそれぞれ１個の場合を図示しているが、接続個数は、０を含む複数個とすることも可能である。
【００２１】
又送信制御パッケージ１１は、０系送信部４１と１系送信部４２と０系受信部４３と１系受信部４４と記録部４５，４６と制御部４７とを含む構成を有し、制御部４７は、送信制御部４８，４９と監視パケット生成部５０と送信制御テーブル５１とを含む構成を有する場合を示し、０系受信部４３は、アクティブ通信ルートの０系の伝送路３１−０を介して伝送されるデータパケットと、共通監視パケットと、独自監視パケットとを受信して、記録部４５により必要な情報を記録して制御部４７へ転送する。又１系受信部４４は、非アクティブ通信ルートの１系の伝送路３２−１を介して、対向側の送信制御パッケージ１２からのデータパケット又は連絡監視パケットを受信し、記録部４６により必要な情報を記録して、制御部５７へ転送する。連絡監視パケットは、共通監視パケット及び独自監視パケットの受信結果によるアクティブ通信ルートが正常か異常発生かを示す情報と共に、異常発生時は、その発生個所を示す情報を含めて、非アクティブ通信ルートを介して送信制御パッケージ１１，１２間で所定の周期で相互に連絡するパケットであり、通信制御テーブル５１は、アクティブ通信ルートに異常が発生している時に、その発生個所の情報を基に、非アクティブ通信ルートにより迂回転送するデータパケットの送信元アドレスと送信先アドレスとを含めた転送制御情報を格納する。又連絡監視パケットは、非アクティブ通信ルートの正常性監視の機能も含むものである。
【００２２】
制御部４７の監視パケット生成部５０は、所定周期で前述の共通監視パケットを生成して、送信制御部４９から１系送信部４２に転送し、その１系送信部４２からアクティブ通信ルートの１系の伝送路３１−１へ共通監視パケットを送出し、又共通監視パケットと同一又は異なる所定の周期で連絡監視パケットを生成して、送信制御部４８から０系送信部４１に転送し、その０系送信部４１から非アクティブ通信ルートに連絡監視パケットを送出する。又０系受信部４３により、端末パッケージ１〜４からの独自監視パケットと、データパケットと、対向送信制御パッケージからの共通監視パケットとを受信して、記録部４５を介して制御部４７へ転送する。
【００２３】
監視パケットは、前述のように、送信制御パッケージ１１，１２からアクティブ通信ルートに所定の周期毎に送出する共通監視パケットと、端末パッケージ１〜４からそれぞれ独自の周期で送出する独自監視パケットと、送信制御パッケージ１１，１２から非アクティブ通信ルートに所定の周期で送出する連絡監視パケットとがあり、それぞれアドレス部とデータ部とを含み、共通監視パケットのアドレス部は、送信元アドレスを自送信制御パッケージのアドレス、送信先を対向送信制御パッケージのアドレス又はブロードキャストアドレス、ライフ値を端末パッケージ数に１を加算した値、又識別子を共通監視パケットの識別子とし、端末パッケージ１〜４は、共通監視パッケージを受信すると、ライフ値を１減算して転送する。又独自監視パケットは、送信元アドレスを自端末パッケージのアドレス、送信先アドレスを送信先の送信制御パッケージのアドレス、識別子を独自監視パケットの識別子とし、ライフ値を例えば８ビット構成の場合オール“１”を示す“ＦＦ”とする。なお、この独自監視パケットのライフ値は、“ＦＦ”以外で、且つ共通監視パケットと異なる値を適用することも可能である。
【００２４】
又連絡監視パケットは、送信元アドレスを自送信制御パッケージのアドレス、送信先アドレスを対向送信制御パッケージのアドレス、識別子を連絡監視パケットの識別子とし、データ部に、所定の周期の共通監視パケットの受信の有無と受信ライフ値が正常であるか否かの受信状態情報と、独自監視パケットの受信の有無と受信ライフ値が正常であるか否かの受信状態情報とを付加する。又前述のように、アクティブ通信ルートを介して伝送する共通監視パケット及び独自監視パケットのそれぞれのライフ値は、各端末パッケージ１〜４に於いて受信転送制御する時に、１を減算して転送する。なお、端末パッケージ１〜４の送受信制御部１ａ〜４ａは、データパケットを０系と１系との伝送路３１−０，３１−１に送信し、送信先アドレスが自端末パッケージ宛を示すデータパケットを受信して、端末へ転送する手段と共に、前述の共通監視パケットの転送処理と、他の端末パッケージからの独自監視パケットの転送処理と、自端末パッケージから所定周期で独自監視パッケージを生成して、０系と１系との伝送路３１−０，３１−１に送出する処理とを実行する手段を備えている。
【００２５】
図２は、監視パケットのライフ値の説明図であり、監視パケット（送信制御ＰＫＧ送信、端末ＰＫＧ転送）として示す共通監視パケットのライフ値の更新転送の例と、監視パケット（端末ＰＫＧ送信）として示す独自監視パケットのライフ値の更新転送の例とを示すもので、横軸方向及び縦軸方向の１１，１２は送信制御パッケージ１１，１２、又１〜４は端末パッケージ１〜４を示す。図１に示す実施例１の構成に於いて、端末パッケージ１〜４が４個であるから、送信制御パッケージ１１からの共通監視パケットのライフ値は、４＋１＝５とし、→５で示すように１系伝送路３１−１に送信し、端末パッケージ１は、そのライフ値を１減算して→４で示すように共通監視パケットを転送する。同様な転送処理により、端末パッケージ４は、端末パッケージ３から受信した共通監視パケットのライフ値が２であるから、１減算して→１として示すライフ値とし、送信制御パッケージ１２へ転送する。送信制御パッケージ１２は、共通監視パケットを受信し、且つそのライフ値が１の場合、対向送信パッケージ１１との間の１系伝送路３１−１は正常と判断する。同様に、送信制御パッケージ１２からの共通監視パケットのライフ値を５として、←５で示すように０系伝送路３１−０に送信する。この場合も前述と同様に各端末パッケージ４，３，２，１により転送され、且つライフ値の減算処理が行われるから、ライフ値も←４、←３、←２、←１で示すように更新され、送信制御パッケージ１１は、共通監視パケットを受信し、ライフ値が１であれば、対向送信制御パッケージ１２との間の０系伝送路３１−０は正常と判断する。
【００２６】
又独自監視パケットのライフ値は、共通監視パケットのライフ値と異なる最大値を使用するもので、端末パッケージ１〜４からは、８ビット構成の最大値を示す“ＦＦ”とした場合を示し、共通監視パケットと同様に転送する毎に、ライフ値を１減算するものであるから、例えば、送信制御パッケージ１２に於いて受信する端末パッケージ１〜４からの独自監視パケットのライフ値は、送信元アドレスで示す端末パッケージ１〜４対応にそれぞれ“ＦＣ”，“ＦＤ”，“ＦＥ”，“ＦＦ”となる。同様に、送信制御パッケージ１１に於いては、最も近い端末パッケージ１が送信した場合のライフ値は、最大値の“ＦＦ”、次に接続されている端末パッケージ２が送信した場合は、端末パッケージ１により１減算されるから“ＦＥ”、同様に端末パッケージ３が送信した場合は“ＦＤ”、端末パッケージ４が送信した場合は“ＦＣ”となる。従って、送信制御パッケージ１１，１２は、共通監視パケットと独自監視パケットとを受信し、且つ送信元アドレスにより独自監視パケットを送信した端末パッケージを認識し、正常受信か否か、ライフ値が正常か否かにより、アクティブ通信ルートが正常であるか、又障害発生検出時は、その発生個所を識別することが可能となる。例えば、送信制御パッケージ１１に於いて、共通監視パケットが受信できないと共に、端末パッケージ３，４からの独自監視パケットを受信できないが、端末パッケージ１，２からの独自監視パケットを受信できる場合、端末パッケージ２，３間の０系伝送路３１−０の障害発生と判定することができる。又共通監視パケットのライフ値が異常であり、且つ端末パッケージ１，２からの独自監視パケットのライフ値は正常で、端末パッケージ３，４からの独自監視パケットのライフ値が異常の場合も、端末パッケージ２，３間の０系伝送路３１−０の障害発生と判定することができる。
【００２７】
又送信制御パッケージ１１，１２間の非アクティブ通信ルートを介して所定周期で送受信する連絡監視パケットは、ヘッダ部とデータ部とを含み、ヘッダ部は、送信元アドレスを自送信制御パッケージのアドレス、送信先アドレスを対向送信制御パッケージのアドレス、識別子を連絡監視パケット識別子とし、データ部は、前述の共通監視パケットの受信か否か、又ライフ値が正常か否かを含む受信状態と、独自監視パケットの受信か否か、又ライフ値が正常か否かを含む受信状態との情報を送信元アドレスＳＡ対応に付加する。例えば、監視パケット受信及びライフ値正常の場合を“０”、未受信及びライフ値異常の場合を“１”とし、受信且つライフ値正常の場合は、送信制御パッケージ１１は、端末パッケージ１〜４と対向送信制御パッケージ１２とのアドレスを送信元アドレスＳＡとして、その送信元アドレスＳＡ対応に、ＳＡ１＝“０”，“０”、ＳＡ２＝“０”，“０”、ＳＡ３＝“０”，“０”、ＳＡ４＝“０”，“０”、ＳＡ１２＝“０”，“０”と、対向送信制御パッケージからの連絡監視パケットの受信状態情報含めてデータ部に付加した連絡監視パケットを、送信制御パッケージ１１から非アクティブ通信ルートを介して送信制御パッケージ１２に送信する。この送信制御パッケージ１２に於いても、同様に共通監視パケットと独自監視パケットとの受信状態を監視し、正常な場合は、前述と同様の内容のデータ部を有する連絡監視パケットを送信制御パッケージ１１に送信する。従って、所定の周期の連絡監視パケットの送受信により、送信制御パッケージ１１，１２間の非アクティブ通信ルートの正常性を監視することができる。
【００２８】
又端末パッケージ２，３間の１系の伝送路３１−１が異常の場合、前述のように、送信制御パッケージ１２は、共通監視パケットと、端末パッケージ１，２からの独自監視パケットとを受信できないので、ＳＡ１＝“１”，“１”、ＳＡ２＝“１”，“１”、ＳＡ３＝“０”，“０”、ＳＡ４＝“０”，“０”、ＳＡ１１＝“１”，“１”をデータ部に付加した連絡監視パケットを、送信制御パッケージ１２から非アクティブ通信ルートを介して送信制御パッケージ１１に送信する。この時、送信制御パッケージ１１に於いて共通監視パケット及び独自監視パケットを正常受信している場合、連絡監視パケットにより、端末パッケージ２から端末パッケージ３方向の異常発生と判断し、送信元アドレスが端末パッケージ１，２で、送信先アドレスが端末パッケージ３，４を示すデータパケットを、非アクティブ通信ルートを介して対向送信制御パッケージ１２へ転送し、この送信制御パッケージ１２から端末パッケージ３，４へデータパケットを転送する。なお、この場合に、送信元アドレスが端末パッケージ１，２の何れかで、送信先アドレスが端末パッケージ１，２の何れかを示すデータパケットは、端末パッケージ１，２間で正常送受信できるから、送信制御パッケージ１１に於いて廃棄する。従って、アクティブ通信ルートの一部障害発生時には、その障害発生個所を転送予定のデータパケットのみを非アクティブ通信ルートにより転送することができる。
【００２９】
図３は、本発明の実施例１のフローチャートを示し、ステップ（Ｓ１）〜（Ｓ８）により、図１に於ける送信制御パッケージ１１，１２の制御処理を示す。なお、ＰＫＧはパッケージの略号であり、以下この略号を用いて説明する。先ず、端末ＰＫＧ毎の監視パケットの受信状態を確認、即ち、前述の独自監視パケット受信により、端末ＰＫＧ対応に正常受信か否か及びライフ値正常か否かを含む受信状態を確認する（Ｓ１）。又所定の周期で共通監視パケットを作成し（Ｓ２）、その共通監視パケットを送信する（Ｓ３）。そして、対向送信制御ＰＫＧから連絡監視パケットにより、独自監視パケット及び共通監視パケットの受信状態を確認する（Ｓ４）。そして、ステップ（Ｓ４）による情報から、即ち、連絡監視パケットにより通知された独自監視パケット及び共通監視パケットの正常受信か否か及びライフ値正常か否かの受信状態情報を基に、制御部４７の送信制御テーブル５１（図１参照）を作成する（Ｓ５）。この送信制御テーブル５１は、送信元アドレスＳＡと送信先アドレスＤＡとに対応した受信状態を示す内容とする。データパケットの送信制御処理、即ち、非アクティブ通信ルートを介した迂回送信処理は、送信制御テーブル５１を参照し、条件１）ＳＡ＝未受信、且つ条件２）ＤＡ＝受信として、条件１，２の判定を行い（Ｓ６）、条件１，２共に真ならば障害発生を通過予定のデータパケットであるから、そのデータパケットを非アクティブ通信ルート送信し（Ｓ７）、それ以外（偽）の場合はデータパケットを廃棄する（Ｓ８）。
【００３０】
図４は、０系と１系との伝送路によるアクティブ通信ルート３１の一方の系の伝送路に異常が発生して、非アクティブ通信ルート３２を介してデータパケットを迂回伝送する場合の説明図であり、伝送装置００１〜００４は、端末ＰＫＧ１〜４を含み、直列的にアクティブ通信ルート３１により接続し、その両端の伝送装置００１，００４は、端末ＰＫＧ１，４と送信制御ＰＫＧ１１，１２とを含み、且つ非アクティブ通信ルート３２により接続したシステム構成を示す。このパケット伝送制御システムに於いて、例えば、端末ＰＫＧ２から端末ＰＫＧ３方向の伝送路に×印で示すように異常が発生し、他の個所は正常の場合、送信制御ＰＫＧ１１は、対向送信制御ＰＫＧ１２からの共通監視パケット及び各端末ＰＫＧ１〜４からの独自監視パケットは正常受信（“０”）及びライフ値正常（“０”）となるから、非アクティブ通信ルート３２を介して送信制御ＰＫＧ１２に対して送信する連絡監視パケットのデータ部に付加する情報は、それぞれの送信元アドレス対応に、ＳＡ１＝“０”，“０”、ＳＡ２＝“０”，“０”、ＳＡ３＝“０”，“０”、ＳＡ４＝“０”，“０”、ＳＡ１２＝“０”，“０”とするが、送信制御ＰＫＧ１２に於いては、共通監視パケット未受信（“１”）、端末ＰＫＧ１，２からの独自監視パケット未受信（“１”）、端末ＰＫＧ３，４からの独自監視パケット正常受信（“０”）及びライフ値正常（“０”）となるから、送信制御ＰＫＧ１２から非アクティブ通信ルート３２を介して対向送信制御ＰＫＧ１１に対して送信する連絡監視パケットのデータ部に付加する情報は、ＳＡ１＝“１”，“１”、ＳＡ２＝“１”，“１”、ＳＡ３＝“０”，“０”、ＳＡ４＝“０”，“０”、ＳＡ１１＝“１”，“１”とし、端末ＰＫＧ２，３間の異常発生を通知する。
【００３１】
送信制御ＰＫＧ１１は、連絡監視パケットにより端末ＰＫＧ２から端末ＰＫＧ３方向への伝送異常発生を認識できるから、送信元アドレスＳＡと送信先アドレスＤＡとについて、端末ＰＫＧ１から端末ＰＫＧ２に対するデータパケットは、ＳＡ１−ＤＡ２として示すように転送可能であり、又端末ＰＫＧ４から端末ＰＫＧ１方向の例えば端末ＰＫＧ４から端末ＰＫＧ１へのデータパケットは、ＳＡ４−ＤＡ１として示すように伝送可能である。しかし、異常発生により、端末ＰＫＧ１から端末ＰＫＧ３へ送信するデータパケットは、アクティブ通信ルート３１の端末ＰＫＧ２，３間の異常発生により伝送できないから、ＳＡ１−ＤＡ３として示すように、送信制御ＰＫＧ１１から非アクティブ通信ルート３２を介して送信制御ＰＫＧ１２へ転送し、この送信制御ＰＫＧ１２から端末ＰＫＧ３へ転送する。同様に、端末ＰＫＧ１から端末ＰＫＧ４に対するデータパケットは、ＳＡ１−ＤＡ４として示すように、非アクティブ通信ルート３２と送信制御ＰＫＧ１２とを介して転送する。この場合、送信制御ＰＫＧ１２から送信制御ＰＫＧ１１方向のアクティブ通信ルート３１は正常であるから、送信制御ＰＫＧ１２にアクティブ通信ルート３１を介して端末ＰＫＧから転送されたデータパケットは廃棄する。
【００３２】
又端末ＰＫＧ２，３間の異常状態が復旧すると、送信制御ＰＫＧ１２は、共通監視パケット及び独自監視パケットを正常受信且つライフ値正常となるから、送信制御ＰＫＧ１１に対する連絡監視パケットのデータ部には、ＳＡ１＝“０”，“０”、ＳＡ２＝“０”，“０”、ＳＡ３＝“０”，“０”、ＳＡ４＝“０”，“０”、ＳＡ１２＝“０”，“０”よる総て正常に復帰した状態であることを通知する。それにより、送信制御ＰＫＧ１１は、非アクティブ通信ルート３２によるデータパケットの転送を中止し、迂回転送していた送信元アドレスＳＡ１、ＳＡ２で、送信先アドレスＳＤ３，ＳＤ４のデータパケットは、迂回転送を停止して、それらのデータパケットは廃棄する。
【実施例２】
【００３３】
図５は、本発明の実施例２の説明図であり、一方の送信制御ＰＫＧ６１と他方の送信制御ＰＫＧ６２との間に、複数のアクティブ通信ルート６３，６４，６５によりそれぞれ複数の端末ＰＫＧ７０〜７９を接続し、送信制御ＰＫＧ６１，６２間を非アクティブ通信ルート６６により接続した構成を示し、アクティブ通信ルート６３，６４，６５と非アクティブ通信ルート６６とはそれぞれ０系と１系との伝送路により構成され、伝送帯域は同一又は異なる構成とすることができる。又非アクティブ通信ルート６６の伝送帯域は、アクティブ通信ルート６３〜６５の伝送帯域の総和より小さい値とすることができる。又端末ＰＫＧ対応に伝送装置を構成するか、又は端末ＰＫＧ７０，７７を組とした伝送装置、端末ＰＫＧ７１，７４，７８を組とした伝送装置、端末ＰＫＧ７２，７５を組とした伝送装置、端末ＰＫＧ７３，７６，７９を組とした伝送装置とし、それぞれの伝送装置を、複数のアクティブ通信ルート６３，６４，６５により直列的に接続した構成とすることも可能である。
【００３４】
又前述の実施例１と同様に、アクティブ通信ルート６３，６４，６５対応にそれぞれ所定の周期で、共通監視パケットを送信制御ＰＫＧ６１，６２間で送受信し、又各端末ＰＫＧ７０〜７９は、所定の周期で独自監視パケットを送信し、共通監視パケット及び独自監視パケットのライフ値については減算処理を行って転送する。それにより、送信制御ＰＫＧ６１，６２に於いては、アクティブ通信ルート６３，６４，６５対応に、共通監視パケット受信か否か、ライフ値正常か否かと、独自監視パケット受信か否か、ライフ値正常か否かとの情報を含む連絡監視パケットの送受信により、各アクティブ通信ルート６３，６４，６５の異常発生か否か及び異常発生個所の検出を可能とし、異常発生個所を通過予定のデータパケットのみを、非アクティブ通信ルート６６により迂回転送することができる。従って、非アクティブ通信ルート６６は、アクティブ通信ルート６３，６４，６５の伝送帯域の総和に比較して少ない伝送帯域とすることができる。
【図面の簡単な説明】
【００３５】
【図１】本発明の実施例１の要部システム構成説明図である。
【図２】本発明の実施例１のライフ値の説明図である。
【図３】本発明の実施例１の送信制御パッケージの制御処理のフローチャートである。
【図４】本発明の実施例１の非アクティブ通信ルートによる転送処理の説明図である。
【図５】本発明の実施例２の説明図である。
【図６】従来例の説明図である。
【符号の説明】
【００３６】
１〜４  端末パッケージ
１ａ〜４ａ  送受信制御部
１１，１２  送信制御パッケージ
２１〜２２  端末
３１−０，３１−１  アクティブ通信ルートを構成する伝送路
３２−０，３２−１  非アクティブ通信ルートを構成する伝送路
４１  ０系送信部
４２  １系送信部
４３  ０系受信部
４４  １系受信部
４５，４６  記録部
４７  制御部
４８，４９  送信制御部
５０  監視パケット生成部
５１  送信制御テーブル
【図１】
2010103788.tif 000003
【図２】
2010103788.tif 000004
【図３】
2010103788.tif 000005
【図４】
2010103788.tif 000006
【図５】
2010103788.tif 000007
【図６】
2010103788.tif 000008